(57)【特許請求の範囲】
【請求項１】
幅方向両端部が一対のビードコア回りに折り返されるとともに、内部にタイヤ赤道Ｓに対して傾斜した有機繊維からなる複数本のカーカスコードが埋設された２枚以上のカーカスプライから構成され、トロイド状に延びるカーカス層と、カーカス層の半径方向外側に配置されたベルト層と、該ベルト層の半径方向外側に配置されたトレッドと、隣接するカーカスプライ間でベルト層と半径方向に重なり合う位置に配置された補強層とを備え、該補強層を、内部にタイヤ赤道Ｓに対して傾斜した複数本のスチールからなる補強コードが埋設された少なくとも１枚の補強プライから構成した空気入りタイヤにおいて、前記補強コードのタイヤ赤道Ｓに対する傾斜角Ａを40〜90度の範囲内とするとともに、補強コードに平行な方向における補強層の50mm幅当たりの圧縮剛性Ｆを1000〜2400Ｎの範囲内としたことを特徴とする空気入りタイヤ。
【請求項２】
前記トレッドの踏面を溝により複数の陸部に区画する一方、前記補強層と半径方向に重なる位置に位置している内側陸部のタイヤ幅方向長さを、前記補強層よりタイヤ幅方向両外側に位置している外側陸部のタイヤ幅方向最大長さより小とした請求項１記載の空気入りタイヤ。
【請求項３】
前記補強コードを複数本のフィラメントを撚ることで構成する一方、該フィラメントの撚りピッチＱを、フィラメント径に補強コードを構成するフィラメント本数を乗じた値Ｖの 1.3〜10.0倍の範囲内とした請求項１または２記載の空気入りタイヤ。
【請求項４】
前記補強コードとして、曲げ剛性Ｄが 230〜 300Ｎ・ｍ2 の範囲内のコードを用い、また、補強コードを補強層に50mm幅当たり40〜80本打ち込むようにした請求項１〜３のいずれか一項に記載の空気入りタイヤ。
【請求項５】
前記補強コードのタイヤ赤道Ｓに対する傾斜角Ａを55度以上とした請求項１〜４のいずれか一項に記載の空気入りタイヤ。
【発明の詳細な説明】
【技術分野】
【０００１】
この発明は、カーカスプライ間にスチール製補強コードが埋設された補強層が配置されている空気入りタイヤに関する。
【背景技術】
【０００２】
従来の空気入りタイヤとしては、例えば以下の特許文献１に記載されているようなものが知られている。
【先行技術文献】
【特許文献】
【０００３】
【特許文献１】特開２０１２−１５３２１４公報
【０００４】
このものは、幅方向両端部が一対のビードコア回りに折り返されるとともに、内部にタイヤ赤道に対して傾斜した有機繊維からなる複数本のカーカスコードが埋設された２枚以上のカーカスプライから構成され、トロイド状に延びるカーカス層と、カーカス層の半径方向外側に配置されたベルト層と、該ベルト層の半径方向外側に配置されたトレッドと、隣接するカーカスプライ間でベルト層と半径方向に重なり合う位置に配置された補強層とを備え、該補強層を、内部にタイヤ赤道に対して傾斜した複数本のスチールからなる補強コードが埋設された補強プライから構成したものである。
【発明の概要】
【発明が解決しようとする課題】
【０００５】
ここで、前述した補強プライ内に埋設されている補強コードのタイヤ赤道に対する傾斜角が40度以上という大きな値である場合には、該補強コードに走行時に繰り返し大きな圧縮力が作用し、この結果、空気入りタイヤを長期間走行させると、該補強コードが座屈しコード折れが発生することがあるという課題を、本発明者は見出した。これは、前記空気入りタイヤが路面に接地して平坦となるよう変形すると、ベルト層内のベルトコードのパンタグラフ効果により、前記補強プライは周方向の引っ張り変形を受けて周方向に伸長し、また、高速走行によるトレッド部の径成長により、ベルト層、補強プライが周方向に伸長するが、このような伸長により該補強プライは幅が狭くなるよう変形しようとする。このとき、補強プライ内には傾斜角が前述した値のスチール補強コードが埋設されているため、該補強コードが突っ張りとなって補強プライの幅の狭小化をある程度抑える一方、補強コードには該補強コードに平行な方向（長手方向）の圧縮力が繰り返し作用するためであると考えられる。なお、旋回走行時に空気入りタイヤに作用する横力や、走行時にトレッドに対し突起入力が入ることによって前記補強コードに作用する圧縮力はさらに大きな値となる。
【０００６】
この発明は、補強層内の補強コードの座屈、コード折れを効果的に抑制することができる空気入りタイヤを提供することを目的とする。
【課題を解決するための手段】
【０００７】
このような目的は、幅方向両端部が一対のビードコア回りに折り返されるとともに、内部にタイヤ赤道Ｓに対して傾斜した有機繊維からなる複数本のカーカスコードが埋設された２枚以上のカーカスプライから構成され、トロイド状に延びるカーカス層と、カーカス層の半径方向外側に配置されたベルト層と、該ベルト層の半径方向外側に配置されたトレッドと、隣接するカーカスプライ間でベルト層と半径方向に重なり合う位置に配置された補強層とを備え、該補強層を、内部にタイヤ赤道Ｓに対して傾斜した複数本のスチールからなる補強コードが埋設された少なくとも１枚の補強プライから構成した空気入りタイヤにおいて、前記補強コードのタイヤ赤道Ｓに対する傾斜角Ａを40〜90度の範囲内とするとともに、補強コードに平行な方向における補強層の50mm幅当たりの圧縮剛性Ｆを1000〜2400Ｎの範囲内とすることにより、達成することができる。
【発明の効果】
【０００８】
この発明においては、補強コードのタイヤ赤道Ｓに対する傾斜角Ａを40〜90度の範囲内とするとともに、補強コードに平行な方向における補強層の50mm幅当たりの圧縮剛性Ｆを1000Ｎ以上としたので、補強層（補強プライ）が幅方向に狭くなろうとして補強コードに圧縮力を付与しても、該補強コードは圧縮力に有効に耐えることができ、補強コードが座屈してコード折れに進展するような事態を効果的に抑制することができる。なお、前記圧縮剛性Ｆが2400Ｎを超えると、空気入りタイヤの耐久性、接地性が低下するため、使用することはできない。
【０００９】
また、請求項２に記載のように構成すれば、排水性、グリップ力を確保しながら陸部の破損を効果的に抑制することができる。さらに、請求項３に記載のように構成すれば、補強コードが圧縮ばねのように機能するため、補強コードの座屈、折れを強力に抑制することができる。また、請求項４に記載のように構成すれば、補強層の50mm幅当たりの圧縮剛性Ｆを容易に1000〜2400Ｎの範囲内に収めることができる。さらに、本発明は請求項５に記載のような角度範囲内の補強コードに有効である。
【図面の簡単な説明】
【００１０】
【図１】この発明の実施形態１を示す空気入りタイヤの子午線断面図である。
【図２】その一部が破断された平面図である。
【発明を実施するための形態】
【００１１】
以下、この発明の実施形態１を図面に基づいて説明する。
図１、２において、11は乗用車に装着される高速走行用の空気入りタイヤであり、この空気入りタイヤ11は一対のビード部13を有し、これらビード部13にはそれぞれリング状を呈するビードコア12が埋設されている。この結果、前記空気入りタイヤ11は一対のビードコア12を有していることになる。また、前記空気入りタイヤ11は、前記ビード部13から略半径方向外側に向かって延びる一対のサイドウォール部14と、両サイドウォール部14の半径方向外端同士を連結する略円筒状のトレッド部15とをさらに備えている。そして、この空気入りタイヤ11は前記ビードコア12間をトロイド状に延びてサイドウォール部14、トレッド部15を補強するカーカス層16を有し、このカーカス層16のタイヤ幅方向両端部は前記一対のビードコア12の回りに内側から外側に向かって折り返されており、この結果、該カーカス層16はビードコア12間に位置する本体部16ａと、本体部16ａの両側端に連続し前記ビードコア12より外側に位置する一対の折返し部16ｂとに区分される。
【００１２】
前記カーカス層16は２枚以上、ここでは２枚のカーカスプライ18、19から構成され、これらカーカスプライ18、19はタイヤ赤道Ｓに対し70〜90度（ここでは80度）のコード角で傾斜した複数本の互いに平行なカーカスコード20、21をコーティングゴムで被覆することにより構成している。この結果、前記カーカスプライ18、19の内部にはタイヤ赤道Ｓに対して傾斜した複数本のカーカスコード20、21が埋設されていることになる。ここで、前記カーカスコード20、21はナイロン、ポリエステル等の有機繊維（ここでは、ナイロン）から構成されており、また、前述のようにコード角が90度未満である場合には、これらカーカスコード20、21は隣接するカーカスプライ18、19でタイヤ赤道Ｓに対し逆方向に傾斜している。また、前記カーカスコード20、21として、２種類の有機繊維、例えば、ナイロンと芳香族ポリアミドとのフィラメントを撚り合わせて構成したハイブリッドコードを用いるようにしてもよい。このようにすれば、高負荷、高温時に芳香族ポリアミドの剛性が発揮され、タイヤ赤道Ｓに対するコード角が90度程度の大きな場合でも高い剛性を確保することができる。
【００１３】
24はトレッド部15において前記カーカス層16の半径方向外側に重ね合わされて配置されたベルト層であり、このベルト層24は少なくとも２枚（ここでは２枚）のベルトプライ25、26を半径方向に積層することで構成され、各ベルトプライ25、26は、例えばスチール、あるいは芳香族ポリアミド、ナイロン等の有機繊維（ここでは芳香族ポリアミド）からなる互いに平行な複数本のベルトコード27、28をコーティングゴムで被覆することにより構成している。この結果、前記ベルトプライ25、26の内部には複数本のベルトコード27、28が埋設されていることになる。ここで、前記ベルトコード27、28はタイヤ赤道Ｓに対し10〜40度（ここでは25度）のコード角で傾斜するとともに、少なくとも２枚のベルトプライ（ここでは２枚のベルトプライ25、26）においてタイヤ赤道Ｓに対し傾斜方向が逆方向となり互いに交差している。また、半径方向内側に配置されているベルトプライ25の幅は半径方向外側に配置されているベルトプライ26の幅より若干広く形成されるとともに、該ベルトプライ25の幅方向両端部はベルトプライ26の半径方向外側に折り返されている。この結果、前記ベルトプライ25の幅方向両端部によりベルトプライ26の幅方向両端部は包み込まれており、これらベルトプライ25、26の幅方向両端における歪みは効果的に抑制されている。
【００１４】
ここで、前記カーカスプライ18はその両端部が前記ベルト層24（ベルトプライ25）の幅方向両端部とカーカスプライ19との間に介装されるまで、半径方向外側に向かって大きく延在している。なお、この発明においては、前記カーカスプライ18の両端はタイヤ最大幅位置近傍まで延在して終了してもよい。また、この発明においては、ベルトプライ25の幅方向両端部は折り返されることなく、ベルトプライ26とほぼ平行に延びていてもよい。31は前記カーカス層16、ベルト層24の半径方向外側に配置されたゴムからなるトレッドであり、このトレッド31の踏面（外周）30中央部にはタイヤ周方向に連続して延びる一対の主溝32、33が形成され、これら主溝32、33はタイヤ赤道Ｓを挟むよう該タイヤ赤道Ｓの両側に形成されている。この結果、これら主溝32、33間にはタイヤ赤道Ｓを跨ぎタイヤ周方向に連続して延びる一定幅の中央陸部34が、また、前記主溝32と一側のトレッド端35との間、および、前記主溝33と他側のトレッド端36との間にはタイヤ周方向に連続して延び、前記中央陸部34より広幅の両側陸部37、38がそれぞれ画成される。なお、この発明においては、主溝は周方向に延びながらジグザグ状の折れ曲がっていてもよい。
【００１５】
ここで、前述した両側陸部37および38には周方向に連続して延び主溝32、33より溝幅が狭い２本の周方向溝65、66および67、68がそれぞれ形成され、該周方向溝65と主溝32との間には周方向に連続して延びる陸部69が、また、周方向溝67と主溝33との間には周方向に連続して延びる陸部70が形成されている。一方、前記周方向溝65、66間、および、周方向溝67、68間にはそれぞれ周方向に連続して延びる陸部71、72が画成されている。これら陸部69、71および70、72は、タイヤ回転方向前側から回転方向後側に向かうに従いタイヤ赤道Ｓからタイヤ幅方向外側に向かうよう傾斜し周方向に離れた複数の傾斜溝73、74および75、76がこれら陸部69、71および70、72にそれぞれ形成されることで、周方向に離れた複数のブロック77、78および79、80に区画されている。
【００１６】
さらに、前記周方向溝66と一側のトレッド端35との間に画成され周方向に連続して延びる陸部83は、前記傾斜溝73、74と同一方向に傾斜するとともに、タイヤ赤道Ｓに対する傾斜角が前記傾斜溝73、74より大である複数の周方向に離れた傾斜溝84により、周方向に離れた複数のブロック85に区画され、また、前記周方向溝68と他側のトレッド端36との間に画成され周方向に連続して延びる陸部86は、前記傾斜溝75、76と同一方向に傾斜するとともに、タイヤ赤道Ｓに対する傾斜角が前記傾斜溝75、76より大である複数の周方向に離れた傾斜溝87により、周方向に離れた複数のブロック88に区画されている。46、47はベルト層24の幅方向両端部でその半径方向外側に設けられた一対のベルト補強層であり、これらのベルト補強層46、47は前記ベルト層24の幅方向両端を跨ぐよう配置されている。これらベルト補強層46、47は周方向に延びる互いに平行な複数本のナイロン、ポリエステル等の有機繊維（ここではナイロン）からなる補強コード48、49をコーティングゴムで被覆することにより構成しており、この結果、これらベルト補強層46、47の内部にはタイヤ赤道Ｓに平行な複数本の補強コード48、49が埋設されていることになる。
【００１７】
52は隣接するいずれかのカーカスプライ間に、ここではカーカスプライ18とカーカスプライ19との間であるが、カーカスプライが３枚以上である場合には、いずれかの隣接するカーカスプライ間に介装された補強層であり、この補強層52は前記ベルト層24と半径方向に重なり合う、ここでは半径方向内側において重なり合う位置のトレッド部15に配置されている。前記補強層52は少なくとも１枚（ここでは１枚）の補強プライ53から構成され、該補強プライ53はスチールからなる互いに平行な複数本の補強コード54をコーティングゴムで被覆することにより構成している。ここで、前記補強コード54はタイヤ赤道Ｓに対し40〜90度の範囲内の傾斜角Ａ（ここでは60度）で傾斜しており、この結果、前記補強層52の内部にはタイヤ赤道Ｓに対して傾斜した複数本のスチール製補強コード54が埋設されていることになる。なお、前記補強層が複数枚の補強プライから構成されているときには、補強コードを隣接する２枚の補強プライにおいてタイヤ赤道Ｓに対し傾斜方向を逆方向とし互いに交差させる。また、前記補強コード54は複数本のフィラメントを撚ることで構成している。そして、このように傾斜角Ａが40度以上であると、前述のように補強コード54に繰り返し圧縮力が付与され、該補強コード54が座屈しコード折れ（フィラメントの破断）が発生することがある。
【００１８】
このため、この実施形態では、前記補強層52として、補強コード54に平行な方向における50mm幅当たりの圧縮剛性（補強コード54に平行に延びる帯状体を仮定するとともに、該帯状体体の幅を50mmとしたときの該帯状体の長手方向圧縮剛性）Ｆの値が1000Ｎ〜2400Ｎの範囲内のものを用いるようにしたのである。そして、前述のように補強コード54のタイヤ赤道Ｓに対する傾斜角Ａを40〜90度の範囲内とするとともに、補強コード54に平行な方向における補強層52の50mm幅当たりの圧縮剛性Ｆを1000Ｎ以上とすれば、前述のように補強プライ53がベルト層24の変形、トレッド部15の径成長の影響を受けて幅方向に狭くなろうとすることで、補強コード54に圧縮力が付与されても、該補強コード54は該圧縮力に有効に耐えることができ、後述のように該補強コード54が座屈してコード折れに進展するような事態を効果的に抑制することができる。そして、前記補強コード54として、曲げ剛性Ｄが 230〜 300Ｎ・ｍ2 の範囲内のコードを用い、また、補強コード54を補強層52（補強プライ53）に50mm幅当たり40〜80本の打込み本数Ｕだけ打ち込むようにすれば、後述のように補強層52の50mm幅当たりの圧縮剛性Ｆの値を容易に1000Ｎ〜2400Ｎの範囲内に収めることができる。そして、タイヤ赤道Ｓに対する傾斜角Ａが55度以上となると、前述のようなコード折れが頻繁に発生するので、補強コード54の傾斜角Ａが55度以上である補強層52に特に有効である。
【００１９】
ここで、前記圧縮剛性Ｆの値は次のようにして求められる。即ち、直径25mm、高さが25mmの円柱ゴムの中心軸上に、長さが25mmである１本の補強コードを埋設した補強コード入りサンプルと、前述した補強コードが埋設されていないゴムだけのゴムサンプルをそれぞれ形成する。次に、室温下で各サンプルを高さ方向に 1mmだけ圧縮し、そのときに要する圧縮力を測定する。そして、補強コード入りサンプルでの圧縮力から、ゴムサンプルでの圧縮力を減じた値を、１本の補強コードの圧縮剛性とする。次に、50mm幅の空間に前記補強コードを40〜80本のうちの、いずれかの本数（例えば30本）だけ並列配置させたと仮定し、この状態での合計圧縮剛性を求める、具体的には、前記求めた１本の補強コードの圧縮剛性に、前記いずれかの本数（例えば30）を乗じて、補強コード54に平行な方向における50mm幅当たりの圧縮剛性Ｆの値とする。但し、補強コード54の曲げ剛性Ｄが300Ｎ・ｍ2 を超えたり、あるいは、50mm幅当たりの補強コード54の打込み本数が80本を超えると、前記圧縮剛性Ｆが2400Ｎを超えることがある。このように圧縮剛性Ｆの値が2400Ｎを超えると、隣接する補強コード54間のコーティングゴムゲージが小さくなってコーティングゴムが破断し、空気入りタイヤ11の耐久性が低下したり、あるいは、補強層52の曲げ剛性が高くなって走行時におけるトレッド部15の接地変形が少なくなり、空気入りタイヤ11の操縦安定性が低下するため、使用することができない。なお、前述したコードの曲げ剛性Ｄ（Ｎ・ｍ2 ）は、以下の数１に示した、良く知られているコードの曲げ剛性の簡易モデル計算式により求めることができる。
【００２０】
【数１】
0006507029.tif 000002
【００２１】
この式において、Ｎはフィラメント本数、αはフィラメントの撚り角度、Ｅはフィラメントの縦弾性係数、Ｇはフィラメントの横弾性係数、Ｉは断面２次モーメント、Ｉｐは断面２次極モーメント、ｄはフィラメントの直径、μｆはフィラメントのポアソン比である。
【００２２】
ここで、前述のように補強コード54が複数本のフィラメントを撚ることで構成されている場合、該フィラメントの撚りピッチＱを、フィラメント径に補強コード54を構成するフィラメントの本数を乗じた値Ｖの 1.3〜10.0倍の範囲内（ここでは 3.0倍）とすることが好ましい。それは、前記Ｑ／Ｖの値を前述のような範囲内とすれば、補強コード54が圧縮ばねのように機能するため、補強コード54に繰り返し大きな圧縮力が作用しても、該補強コード54の座屈、折れを強力に抑制することができるからである。また、この実施形態では、前述のようにトレッド31の踏面30を複数の溝（主溝32、33、周方向溝65、66、67、68、傾斜溝73、74、75、76、84、87）により複数の陸部（中央陸部34、ブロック77、78、79、80、85、88）に区画しているが、これら陸部を前記補強層52と半径方向に重なる位置に位置している（補強層52の幅方向一端52ａと幅方向他端52ｂと間に位置する）内側陸部57と、前記補強層52よりタイヤ幅方向両外側に位置している（補強層52の幅方向一端52ａおよび幅方向他端52ｂと、トレッド端35、36との間にそれぞれ位置する）一対の外側陸部58、59とに区分したとき、前記内側陸部57のいずれの部位におけるタイヤ幅方向長さも、前記外側陸部58、59におけるタイヤ幅方向最大長さより小としている。
【００２３】
例えば、この実施形態では、外側陸部58、59に形成された陸部はブロック85、88のみであるため、該ブロック85、88の幅方向長さが、外側陸部58、59における陸部のタイヤ幅方向最大長さＪである。一方、内側陸部57の範囲内には中央陸部34、ブロック77、78、79、80が形成されているが、これら中央陸部34、ブロック77、78、79、80のタイヤ幅方向長さＫは同一値であり、この結果、前記タイヤ幅方向最大長さＫが内側陸部57における陸部のタイヤ幅方向長さの最大値となる。そして、この実施形態ではタイヤ幅方向最大長さＫを前記タイヤ幅方向最大長さＪより小としたのである。このように内側陸部57のいずれの部位におけるタイヤ幅方向長さも、外側陸部58、59におけるタイヤ幅方向最大長さＪより小とすれば、排水性、グリップ力を確保しながら内側陸部57の破損を効果的に抑制することができる。
【００２４】
その理由は、前述のように構成すれば、内側陸部57においては周方向に延びる溝の数が多くなって排水性を容易に確保することができる一方、外側陸部58、59においては陸部のタイヤ幅方向長さが長いことによって剛性が高くなり、グリップ力を容易に確保することができる。しかしながら、内側陸部57において陸部のタイヤ幅方向長さが短くなると、外力による変形量が大きくなって陸部に欠け等の破損が生じ易くなるが、この内側陸部57には補強層52が重ね合わされて配置されているため、陸部を支持する土台が強固となり、前述した陸部の破損を効果的に抑制することができるのである。
【実施例１】
【００２５】
次に、試験例１について説明する。この試験に当たっては、圧縮剛性Ｆが754Ｎである補強層が設けられた比較タイヤ１と、圧縮剛性Ｆが 803Ｎである補強層が設けられた比較タイヤ２と、圧縮剛性Ｆが 947Ｎである補強層が設けられた比較タイヤ３と、圧縮剛性Ｆが 993Ｎである補強層が設けられた実施タイヤ１と、圧縮剛性Ｆが1224Ｎである補強層が設けられた実施タイヤ２と、圧縮剛性Ｆが1811Ｎである補強層が設けられた実施タイヤ３と、圧縮剛性Ｆが2407Ｎである補強層が設けられた実施タイヤ４と、圧縮剛性Ｆが2451Ｎである補強層が設けられた比較タイヤ４と、圧縮剛性Ｆが2510Ｎである補強層が設けられた比較タイヤ５と、圧縮剛性Ｆが2558Ｎである補強層が設けられた比較タイヤ６とを準備した。
【００２６】
ここで、前述した各タイヤのサイズは245/45Ｒ18であり、その構造は実施形態１で説明したタイヤと同様である。次に、前述した各タイヤを９Ｊのリムに装着するとともに 210ｋPaの内圧を充填した後、キャンバ角０度、スリップ角１度の条件下で１ｋＮの荷重を負荷しながらドラム外周上を速度 300km/hで走行させるとともに、このような走行中に荷重９ｋＮ、１秒間のインパルス入力を10サイクル付与した。その後、各タイヤを解剖し補強コードのコード折れ箇所数を計測し、その結果（コード折れ）を実施タイヤ２を指数 100として表１に示した。ここで、数値が小であるほどコード折れ箇所数が少なく優れていることを示している。
【００２７】
【表１】
0006507029.tif 000003
【００２８】
次に、前記各タイヤに 210ｋPaの内圧を充填した後、排気量2000ccの乗用車に装着して１名乗車状態でテストコースを走行し、テストドライバーの官能で操縦安定性を評価した。その結果を表１に示すが、数値が大きいほど操縦安定性に優れている。次に、前記各タイヤに 210ｋPaの内圧を充填した後、キャンバ角０度、スリップ角１度の条件下で８ｋＮの荷重を負荷しながらドラム外周上を速度 250km/hから10分毎に10km/hのステップで速度を増加させつつ走行させ、各タイヤの補強層に故障が発生したときの速度を求めた。その結果（耐久性）を表１に実施タイヤ２を指数 100として示した。ここで、数値が大であるほど耐久性が優れている。
【００２９】
次に、試験例２について説明する。この試験に当たっては、撚りピッチＱを値Ｖで除したＱ／Ｖの値が 1.1である以外は実施タイヤ２と同様である実施タイヤ５と、Ｑ／Ｖの値が 1.2である以外は実施タイヤ２と同様である実施タイヤ６と、Ｑ／Ｖの値が 1.3である以外は実施タイヤ２と同様である実施タイヤ７と、前記実施タイヤ２（Ｑ／Ｖの値は3.0）と、Ｑ／Ｖの値が10.0である以外は実施タイヤ２と同様である実施タイヤ８と、Ｑ／Ｖの値が10.3である以外は実施タイヤ２と同様である実施タイヤ９と、Ｑ／Ｖの値が12.0である以外は実施タイヤ２と同様である実施タイヤ１０とを準備した。次に、前述したコード折れ試験と同様の条件下でコード折れ試験を行った。その後、各タイヤを解剖して補強コードの折れ箇所数を計測し、その結果（コード折れ）を表１と同様に、実施タイヤ２を指数 100として表２に示した。ここで、数値が小であるほどコード折れ箇所数が少なく優れていることを示している。
【００３０】
【表２】
0006507029.tif 000004
【産業上の利用可能性】
【００３１】
この発明は、空気入りタイヤのカーカスプライ間にスチール製補強コードが埋設された補強層を配置した産業分野に適用できる。
【符号の説明】
【００３２】
11…空気入りタイヤ         12…ビードコア
16…カーカス層             18、19…カーカスプライ
20、21…カーカスコード     24…ベルト層
30…踏面                   31…トレッド
32、33…溝                 52…補強層
53…補強プライ             54…補強コード
57…内側陸部               58、59…外側陸部
【図１】
0006507029.tif 000005
【図２】
0006507029.tif 000006